(57)【要約】【課題】  液晶表示パネルを安定的に保持することによって液晶表示パネルを強力な超音波によって短時間に洗浄することができる液晶表示パネル用洗浄装置および液晶表示パネルの洗浄方法を提供する。【解決手段】  超音波振動子９を備えた洗浄槽３，４，５内に搬送された液晶表示パネル２を、前記超音波振動子９による超音波を用いて洗浄可能とされた液晶表示パネル用洗浄装置１において、前記液晶表示パネル２を空気圧を用いて保持するエアバック機構１７を有している。【選択図】      図１
2005134785.tif 000002
【特許請求の範囲】
【請求項１】
超音波振動子を備えた洗浄槽内に搬送された液晶表示パネルを、前記超音波振動子による超音波を用いて洗浄可能とされた液晶表示パネル用洗浄装置において、
前記液晶表示パネルを空気圧を用いて保持するエアバック機構を有していることを特徴とする液晶表示パネル用洗浄装置。
【請求項２】
複数の液晶表示パネルを厚み方向に所定の間隔を設けるようにして収容可能とされるとともに、収容された液晶表示パネルを超音波振動子を備えた洗浄槽内に搬送可能とされた収容体を有し、前記洗浄槽内に搬送された前記収容体内の液晶表示パネルを、前記超音波振動子による超音波を用いて洗浄可能とされた液晶表示パネル用洗浄装置において、
前記各液晶表示パネルを厚み方向の両外側から保持する保持機構を有していることを特徴とする液晶表示パネル用洗浄装置。
【請求項３】
前記保持機構は、空気圧を用いて液晶表示パネルを保持するエアバック機構とされている請求項２に記載の液晶表示パネル用洗浄装置。
【請求項４】
前記エアバック機構は、前記液晶表示パネルの端子部以外の部位を保持するようにされている請求項１または３に記載の液晶表示パネル用洗浄装置。
【請求項５】
前記エアバック機構が前記液晶表示パネルの厚み方向と直交する方向に移動可能とされ、かつ、前記エアバック機構の保持位置を規制するためのストッパを備えている請求項４に記載の液晶表示パネル用洗浄装置。
【請求項６】
洗浄槽内に搬送した液晶表示パネルを、超音波を用いて洗浄する液晶表示パネルの洗浄方法において、
前記液晶表示パネルを、エアバック機構によって保持しながら洗浄することを特徴とする液晶表示パネルの洗浄方法。
【請求項７】
収容体内に複数の液晶表示パネルを厚み方向に所定の間隔を設けるようにして収容し、前記液晶表示パネルを前記収容体とともに洗浄槽内に搬送し、前記洗浄槽内に搬送した前記収容体内の液晶表示パネルを、超音波を用いて洗浄する液晶表示パネルの洗浄方法において、
前記各液晶表示パネルを、保持機構によって厚み方向の両外側から保持しながら洗浄することを特徴とする液晶表示パネルの洗浄方法。
【請求項８】
前記保持機構として、空気圧を用いて液晶表示パネルを保持するエアバック機構を用いる請求項７に記載の液晶表示パネル用洗浄方法。
【請求項９】
前記エアバック機構によって、前記液晶表示パネルの端子部以外の部位を保持する請求項６または８に記載の液晶表示パネルの洗浄方法。
【請求項１０】
前記エアバック機構を前記液晶表示パネルの厚み方向と直交する方向に移動可能とし、保持位置を規制するストッパを配設し、前記エアバック機構による前記端子部の保持を回避する請求項９に記載の液晶表示パネルの洗浄方法。
【発明の詳細な説明】
【技術分野】
【０００１】
本発明は、液晶表示パネル用洗浄装置および液晶表示パネルの洗浄方法に係り、特に、洗浄液が入れられた洗浄槽内に搬送された液晶表示パネルを、超音波を用いて洗浄するのに好適な液晶表示パネル用洗浄装置および液晶表示パネルの洗浄方法に関する。
【背景技術】
【０００２】
従来から、２枚の透明電極基板間に液晶を注入した液晶表示パネルを洗浄する方法として、液晶表示パネルをブラシによって洗浄するブラシ洗浄と超音波によって洗浄する超音波洗浄とが一般的であったが、特に、透明電極基板間のギャップ部に付着した液晶を除去する方法としては、超音波洗浄がよく用いられていた。
【０００３】
さらに、前記超音波洗浄の方式としては、液晶表示パネルをコンベアやコロやシャトルに乗せて一枚ずつ流れ作業的に洗浄する枚葉式と、複数枚の液晶表示パネルを収容体内に設置して一括洗浄するバッチ式とが知られているが、現状では、バッチ式の洗浄が主流となっている。
【０００４】
【特許文献１】特開２００１−９３９６号公報
【発明の開示】
【発明が解決しようとする課題】
【０００５】
ところで、前述したバッチ式の洗浄方法は、一度に多数の液晶表示パネルを洗浄することができることを利点としているが、このバッチ式においても、液晶表示パネルの洗浄時間の短縮化には一定の限界があった。
【０００６】
すなわち、液晶表示パネルに作用する超音波が強力である場合は、超音波によって液晶表示パネル自体が振動してしまい、これによって液晶表示パネルがダメージを受けてしまっていた。
【０００７】
より具体的には、液晶表示パネルの２枚の透明電極基板の互いに対峙する各内側面には配向膜が形成されており、また、前記２枚の透明電極基板の間隙には、この間隙を均一に保持するためのスペーサが散布されているが、搬送の際に前記液晶表示パネルが振動すると、前記スペーサがパネル内で移動して前記配向膜に傷を付けてしまっていた。さらに、前記スペーサが移動することによってスペーサ分布が変化し、前記間隙に変動が生じ、これによって液晶表示パネルによる表示に色むらが生じてしまっていた。
【０００８】
従って、従来のバッチ式の洗浄方式では、液晶表示パネルに作用させる超音波を強力にすることができなかったため、液晶表示パネルの洗浄時間のさらなる短縮化を図ることができないといった問題が生じていた。
【０００９】
本発明はこのような問題点に鑑みなされたもので、液晶表示パネルを安定的に保持することによって液晶表示パネルを強力な超音波によって短時間で適正に洗浄することができる液晶表示パネル用洗浄装置および液晶表示パネルの洗浄方法を提供することを目的とするものである。
【課題を解決するための手段】
【００１０】
前述した目的を達成するため、本発明の請求項１に係る液晶表示パネル用洗浄装置の特徴は、超音波振動子を備えた洗浄槽内に搬送された液晶表示パネルを、前記超音波振動子による超音波を用いて洗浄可能とされた液晶表示パネル用洗浄装置において、前記液晶表示パネルを空気圧を用いて保持するエアバック機構を有している点にある。
【００１１】
そして、このような構成によれば、液晶表示パネルをエアバック機構によって保持しながら洗浄することができるため、強力な超音波を用いて液晶表示パネルを迅速かつ適正に洗浄することが可能となる。
【００１２】
請求項２に係る液晶表示パネル用洗浄装置の特徴は、複数の液晶表示パネルを厚み方向に所定の間隔を設けるようにして収容可能とされるとともに、収容された液晶表示パネルを超音波振動子を備えた洗浄槽内に搬送可能とされた収容体を有し、前記洗浄槽内に搬送された前記収容体内の液晶表示パネルを、前記超音波振動子による超音波を用いて洗浄可能とされた液晶表示パネル用洗浄装置において、前記各液晶表示パネルを厚み方向の両外側から保持する保持機構を有している点にある。
【００１３】
そして、このような構成によれば、収容体内の液晶表示パネルを保持機構によって保持しながら洗浄することができるため、強力な超音波を用いて液晶表示パネルを迅速かつ適正に洗浄することが可能となる。
【００１４】
請求項３に係る液晶表示パネル用洗浄装置の特徴は、請求項２において、前記保持機構が、空気圧を用いて液晶表示パネルを保持するエアバック機構とされている点にある。
【００１５】
そして、このような構成によれば、液晶表示パネルを簡易な構成によって安定的に保持することが可能となる。
【００１６】
請求項４に係る液晶表示パネル用洗浄装置の特徴は、請求項１または３において、前記エアバック機構が、前記液晶表示パネルの端子部以外の部位を保持するようにされている点にある。
【００１７】
そして、このような構成によれば、液晶表示パネルにおいて特に十分な洗浄を必要とされる端子部がエアバック機構によって遮蔽されないようにすることができるため、液晶表示パネルの洗浄効果をさらに高めることが可能となる。
【００１８】
請求項５に係る液晶表示パネル用洗浄装置の特徴は、請求項４において、前記エアバック機構が、前記液晶表示パネルの厚み方向と直交する方向に移動可能とされ、かつ、前記エアバック機構の保持位置を規制するためのストッパを備えている点にある。
【００１９】
そして、このような構成によれば、さらに簡易な構成によって液晶表示パネルの端子部以外の部位を保持することが可能となる。
【００２０】
請求項６に係る液晶表示パネルの洗浄方法の特徴は、洗浄槽内に搬送した液晶表示パネルを、超音波を用いて洗浄する液晶表示パネルの洗浄方法において、前記液晶表示パネルをエアバック機構によって保持しながら洗浄する点にある。
【００２１】
そして、このような方法によれば、液晶表示パネルをエアバック機構によって保持しながら洗浄することができるため、強力な超音波を用いて液晶表示パネルを迅速かつ適正に洗浄することが可能となる。
【００２２】
請求項７に係る液晶表示パネルの洗浄方法の特徴は、収容体内に複数の液晶表示パネルを厚み方向に所定の間隔を設けるようにして収容し、前記液晶表示パネルを前記収容体とともに洗浄槽内に搬送し、前記洗浄槽内に搬送した前記収容体内の液晶表示パネルを、超音波を用いて洗浄する液晶表示パネルの洗浄方法において、前記各液晶表示パネルを、保持機構によって厚み方向の両外側から保持しながら洗浄を行う点にある。
【００２３】
そして、このような方法によれば、収容体内の液晶表示パネルを保持機構によって保持しながら洗浄することができるため、強力な超音波を用いて液晶表示パネルを迅速かつ適正に洗浄することが可能となる。
【００２４】
請求項８に係る液晶表示パネルの洗浄方法の特徴は、請求項７において、前記保持機構として、空気圧を用いて液晶表示パネルを保持する点にある。
【００２５】
そして、このような方法によれば、液晶表示パネルを簡易な構成によって安定的に保持することが可能となる。
【００２６】
請求項９に係る液晶表示パネルの洗浄方法の特徴は、請求項６または８において、前記エアバック機構によって、前記液晶表示パネルの端子部以外の部位を保持する点にある。
【００２７】
そして、このような方法によれば、液晶表示パネルにおいて特に十分な洗浄が必要とされる端子部がエアバック機構によって遮蔽されないようにすることができるため、液晶表示パネルの洗浄効果をさらに高めることが可能となる。
【００２８】
請求項１０に係る液晶表示パネルの洗浄方法の特徴は、請求項９において、前記エアバック機構を、前記液晶表示パネルの厚み方向と直交する方向に移動可能とし、前記保持位置を規制するストッパを配設し、前記エアバック機構による前記端子部の保持を回避する点にある。
【００２９】
そして、このような方法によれば、さらに簡易な方法によって液晶表示パネルの端子部以外の部位を保持することが可能となる。
【発明の効果】
【００３０】
請求項１に係る液晶表示パネル用洗浄装置によれば、液晶表示パネルを強力な超音波によってダメージを与えずに短時間で十分に洗浄することができる液晶表示パネル用洗浄装置を実現することができる。
【００３１】
請求項２に係る液晶表示パネル用洗浄装置によれば、複数の液晶表示パネルを強力な超音波によってダメージを与えずに同時に洗浄することができ、洗浄時間をさらに短縮化することができる液晶表示パネル用洗浄装置を実現することができる。
【００３２】
請求項３に係る液晶表示パネル用洗浄装置によれば、請求項２に係る液晶表示パネル用洗浄装置の効果に加えて、液晶表示パネルを強力な超音波によってダメージを与えずに短時間で十分に洗浄することができる液晶表示パネル用洗浄装置を更に安価に実現することができる。
【００３３】
請求項４に係る液晶表示パネル用洗浄装置によれば、請求項１または請求項３に係る液晶表示パネル用洗浄装置の効果に加えて、液晶表示パネルをさらに迅速かつ適正に洗浄することができる液晶表示パネル用洗浄装置を実現することができる。
【００３４】
請求項５に係る液晶表示パネル用洗浄装置によれば、請求項４に係る液晶表示パネル用洗浄装置の効果に加えて、液晶表示パネルをさらに迅速かつ適正に洗浄することができる液晶表示パネル用洗浄装置さらに安価に実現することができる。
【００３５】
請求項６に係る液晶表示パネルの洗浄方法によれば、液晶表示パネルを強力な超音波によってダメージを与えずに短時間で十分に洗浄することができる液晶表示パネルの洗浄方法を実現することができる。
【００３６】
請求項７に係る液晶表示パネルの洗浄方法によれば、複数の液晶表示パネルを強力な超音波によってダメージを与えずに同時に洗浄することができ、洗浄時間をさらに短縮化することができる液晶表示パネル用洗浄方法を実現することができる。
【００３７】
請求項８に係る液晶表示パネルの洗浄方法によれば、請求項７に係る液晶表示パネルの洗浄方法の効果に加えて、液晶表示パネルを強力な超音波によってダメージを与えずに短時間で十分に洗浄することができる液晶表示パネルの洗浄方法を更に安価に実現することができる。
【００３８】
請求項９に係る液晶表示パネルの洗浄方法によれば、請求項６または請求項８に係る液晶表示パネルの洗浄方法の効果に加えて、液晶表示パネルをさらに迅速かつ適正に洗浄することができる液晶表示パネルの洗浄方法を実現することができる。
【００３９】
請求項１０に係る液晶表示パネルの洗浄方法によれば、請求項９に係る液晶表示パネルの洗浄方法の効果に加えて、液晶表示パネルをさらに迅速かつ適正に洗浄することができる液晶表示パネルの洗浄方法をさらに安価に実現することができる。
【発明を実施するための最良の形態】
【００４０】
以下、本発明に係る液晶表示パネル用洗浄装置の実施形態について、図１を参照して説明する。
【００４１】
図１に示すように、本実施形態における液晶表示パネル用洗浄装置１においては、液晶表示パネル２を超音波洗浄する複数の洗浄槽３，４，５が、所定の間隔を設けて配設されており、各洗浄槽３，４，５内には、洗浄液６が入っている。
【００４２】
前記各洗浄槽３，４，５は、上部に開口７を有する箱形に形成されており、この開口７が、液晶表示パネル２を洗浄槽３，４，５内に投入するための投入口としての役割と、洗浄槽３，４，５内の液晶表示パネル２を洗浄槽３，４，５外へ排出するための排出口としての役割とを併有するようになっている。
【００４３】
前記洗浄槽３，４の底部には、洗浄槽３，４内に投入された液晶表示パネル２を超音波洗浄する超音波振動子９が配設されており、この超音波振動子９は、超音波制御部１０によって駆動制御されるようになっている。
【００４４】
そして、前記洗浄槽３，４，５内には、複数の液晶表示パネル２が収容体１１内に収容された状態で前記開口７を介して投入されるようになっている。
【００４５】
前記収容体１１は、上部に開口１２を有する箱状に形成されており、この収容体１１内には、複数の液晶表示パネル２がその端子部２ａを下に向けた状態で厚み方向に所定の間隔を設けて設置されるようになっている。
【００４６】
前記収容体１１は、その底部を収容体搬送部１４によって保持されており、この収容体搬送部１４は、前記収容体１１を、前記洗浄槽３，４，５への投入方向（図１における下方向）および前記洗浄槽３，４，５からの排出方向（上方向）に搬送可能とされている。さらに、前記収容体搬送部１４は、前記収容体１１を洗浄槽３，４，５から排出した後、この収容体１１を隣接する他の洗浄槽３，４，５の方向（右方向）に搬送可能とされている。
【００４７】
前記収容体搬送部１４には、搬送制御部１５が接続されており、この搬送制御部１５によって前記収容体搬送部１４が駆動制御されるようになっている。
【００４８】
そして、本実施形態における液晶表示パネル用洗浄装置１は、前記液晶表示パネル２を厚み方向の両外側から保持する保持機構１７を有している。
【００４９】
これにより、収容体１１内の複数の液晶表示パネル２を保持機構１７によって保持しながら洗浄することができるため、強力な超音波を用いたとしても液晶表示パネル２の振動を有効に抑制することができる。
【００５０】
この結果、液晶表示パネル２をダメージを与えずに迅速かつ適正に洗浄することができるようになっている。
【００５１】
特に、本実施形態における液晶表示パネル用洗浄装置１は、一度に複数枚の液晶表示パネル２を洗浄することができるバッチ式の洗浄装置１であるため、液晶表示パネル２の処理枚数を向上することによって洗浄時間をさらに短縮化することができるようになっている。
【００５２】
また、バッチ式の場合、収容体１１内における液晶表示パネル２のがたつきを少なくすることができるため、液晶表示パネル２に対する欠けや割れあるいはガラスの切断端面からのチッピングの発生を低減することができる。
【００５３】
また、本実施形態において、前記保持機構１７は、空気圧を用いて液晶表示パネル２を保持するエアバック機構１７とされている。
【００５４】
前記エアバック機構１７は、空気の供給または排出を行うことによって膨縮可能とされた平面略四角形状のエアバック本体１８を有しており、このエアバック本体１８内には、通気管１９を通して送風機等のエア供給部２０から空気が供給されるようになっている。
【００５５】
前記通気管１９にはバルブ２１が配設されており、このバルブ２１の開閉によって、前記エアバック本体１８への空気の供給が規制されるようになっている。さらに、前記バルブ２１および前記エア供給部２０にはエア制御部２３が接続されており、このエア制御部２３によって、前記バルブ２１の開閉や前記エアバック本体１８に供給される空気の量を制御するようになっている。
【００５６】
このような簡易な構成からなるエアバック機構１７によって液晶表示パネル２を保持することができるため、液晶表示パネル２を簡易な構成によって安定的に保持することができるようになっている。
【００５７】
なお、エアバック本体１８からの空気の排出は、エアバック本体１８内から通気管１９を介して空気を外部に自然にリークするか、もしくはエアバック本体１８内の空気を排出する排気装置を設けてエアバック本体１８からの空気の排出を積極的に行うようにしてもよい。
【００５８】
前記エアバック機構１７には移動装置２４が連結されており、この移動装置２４は、前記エアバック本体１８を、前記液晶表示パネル２の厚み方向の両外側表面に沿って前記液晶表示パネル２を保持する保持位置と前記液晶表示パネル２の保持を解除する解除位置との間で移動させるようになっている。すなわち、液晶表示パネル２の厚み方向と直交する方向に移動可能である。また、前記解除位置とは、エアバック本体１８を膨らませたとしても液晶表示パネル２を保持することができない位置である。
【００５９】
なお、前記エアバック本体１８は、前記移動装置２４による移動の際には、内部の空気を排気されて収縮された状態になっている。この結果、必要時以外においてエアバック本体１８が液晶表示パネル２に接触することを避けることができ、液晶表示パネル２を収容体１１内に安定的に位置させることができる。
【００６０】
また、本実施形態において、前記エアバック機構１７は、前記液晶表示パネル２の端子部２ａ以外の部位を保持するようにされている。
【００６１】
ここで、前記端子部２ａに液晶が付着したままであると、リード間のリークやＬＳＩの搭載等に支障を来たすため、前記端子部２ａは、液晶表示パネル２において特に十分な洗浄が必要とされる部位といえる。
【００６２】
そこで、本実施形態においては、前記のようにエアバック機構１７によって液晶表示パネル２の端子部２ａ以外の部位を保持し、端子部２ａについてはエアバック本体１８によって遮蔽されないようにすることができるため、端子部２ａに超音波を有効に作用させて、端子部２ａひいては液晶表示パネル２全体の洗浄効果をさらに高めることができるようになっている。
【００６３】
さらに、前記収容体１１の内部には、ストッパ２５が配設されており、このストッパ２５は、保持位置において前記エアバック本体１８に当接することによって、前記エアバック本体１８の移動を規制するようになっている。
【００６４】
この結果、保持位置において、端子部２ａをエアバック本体１８の保持範囲外に位置させることができ、より簡易な構成によって液晶表示パネル２の端子部２ａ以外の部位を保持することができるようになっている。
【００６５】
次に、本発明に係る液晶表示パネルの洗浄方法の実施形態について、図１乃至図３を参照して説明する。
【００６６】
本実施形態においては、図１に示した液晶表示パネル用洗浄装置１を用いて液晶表示パネル２を洗浄する。
【００６７】
なお、初期状態において、前記エアバック本体１８は、前記移動装置２４によって解除位置まで退避されており、エアバック本体１８に対する空気の供給は行われていないものとする。
【００６８】
また、洗浄液６が入れられた洗浄槽３内には、収容体１１が前記収容体搬送部１４に下方から保持された状態で投入され、この収容体１１の内部には、複数の液晶表示パネル２が端子部２ａを下に向けた状態で厚み方向に所定の間隔を設けて設置されているものとする。
【００６９】
さらに、超音波振動子９は駆動されておらず、液晶表示パネル２の洗浄は開始されていないものとする。
【００７０】
そして、初期状態から、液晶表示パネル２の洗浄を行う場合は、移動装置２４によってエアバック本体１８を図２に示すように液晶表示パネル２の保持位置方向に移動させる。
【００７１】
保持位置側に移動したエアバック本体１８は、ストッパ２５によってそれ以上の移動を規制されることによって、保持位置に止められる。
【００７２】
このとき、各液晶表示パネル２の端子部２ａ以外の部位には、エアバック本体１８が厚み方向の外側から臨んだ状態になっており、一方、各液晶表示パネル２の端子部２ａは、エアバック本体１８の保持範囲外（図１における下方）に位置された状態になっている。
【００７３】
次いで、前記エア制御部２３の制御によって前記エア供給部２０から前記エアバック本体１８に供給される空気の量を設定するとともに、前記バルブ２１を開放することによって、前記エアバック本体１８の内部に空気を供給する。
【００７４】
これにより、前記エアバック本体１８は、図３に示すように厚み方向に膨張し、この結果、エアバック本体１８の間に位置された液晶表示パネル２は、エアバック本体１８によって厚み方向の両外側から挟み込まれるように保持される。
【００７５】
そして、前記液晶表示パネル２を保持した後、前記超音波制御部１０によって超音波振動子９を駆動することによって、液晶表示パネル２の超音波洗浄を開始する。
【００７６】
このとき、液晶表示パネル２は、エアバック機構１７によって安定的に保持されているため、超音波振動子９の超音波の強度を強めたとしても、液晶表示パネル２の振動を有効に抑制することができる。
【００７７】
これにより、液晶表示パネル２をダメージを与えずに強力な超音波によって迅速かつ適正に洗浄することができる。
【００７８】
また、このとき、液晶表示パネル２の端子部２ａは、エアバック本体１８によって遮蔽されておらず、超音波の作用を受けやすくなっているため、特に十分な洗浄が必要とされる端子部をさらに効果的に洗浄することができる。
【００７９】
そして、前記洗浄槽３内における洗浄が完了した後は、前記エアバック本体１８内の空気を排気してエアバック本体１８を収縮させるとともに、前記移動装置２４によってエアバック本体１８を解除位置に移動させる。
【００８０】
次いで、前記収容体搬送部１４によって、前記液晶表示パネル２を前記収容体１１とともに洗浄槽３から排出し、その後、前記液晶表示パネル２を前記収容体１１とともに前記洗浄槽３に隣接する他の洗浄槽４内に投入して再び超音波洗浄を施す。
【００８１】
このように、本実施形態によれば、エアバック機構１７によって液晶表示パネル２を安定的に保持することによって液晶表示パネル２を強力な超音波によって短時間に洗浄することができる。
【００８２】
なお、本発明は、前述した実施の形態に限定されるものではなく、必要に応じて種々の変更が可能である。
【００８３】
例えば洗浄槽の個数や収容体内に収容される液晶表示パネルの個数等は、必要に応じて種々変更することができる。
【図面の簡単な説明】
【００８４】
【図１】本発明に係る液晶表示パネル用洗浄装置の実施形態を模式的に示す側面図
【図２】本発明に係る液晶表示パネルの洗浄方法において、エアバック機構の移動状態を模式的に示す斜視図
【図３】本発明に係る液晶表示パネルの洗浄方法において、エアバック機構による液晶表示パネルの保持状態を模式的に示す斜視図
【符号の説明】
【００８５】
１  液晶表示パネル用洗浄装置
２  液晶表示パネル
２ａ  端子部
３，４，５  洗浄槽
９  超音波振動子
１１  収容体
１４  収容体搬送部
１７  エアバック機構（保持機構）
１８  エアバック本体
２４  移動装置
２５  ストッパ
【図１】
2005134785.tif 000003
【図２】
2005134785.tif 000004
【図３】
2005134785.tif 000005